(57)【要約】【課題】簡易な構造でありながら耐震性に優れる逆ネスティング型のネスティングラックを提供する。【解決手段】逆ネスティング型のネスティングラック１は、平面形状が略四角形の天井部２と、この天井部２の四隅にそれぞれ立設された支柱３ａ〜３ｄと、積載物５を搬入する前面側を除いて隣り合う支柱の下端部同士を連結した横枠４ａ〜４ｃからなるコの字状の支持部４とを備えてなり、支持部４は、横枠の少なくとも１つに連結されるとともに支持面６に載置される連結部材７を有し、連結部材７が積載物５と支持面６との間で該積載物の重量により固定される。【選択図】図１
2014237456.tif 000002
【特許請求の範囲】
【請求項１】
平面形状が略四角形の天井部と、この天井部の四隅にそれぞれ立設された支柱と、積載物を搬入する前面側を除いて隣り合う前記支柱の下端部同士を連結した横枠からなるコの字状の支持部とを備えてなる逆ネスティング型のネスティングラックであって、
該ネスティングラックは、前記積載物を、該ネスティングラックを支持する支持面のうち、前記支持部のコの字内側の部分に載置して使用するものであり、
前記支持部は、前記横枠の少なくとも１つに連結されるとともに前記支持面に載置される連結部材を有し、該連結部材が前記積載物と前記支持面との間で該積載物の重量により固定されることを特徴とするネスティングラック。
【請求項２】
前記連結部材は、前記横枠に着脱可能に連結されている、または、ネスティング時において前記コの字状の内部範囲外に可動可能に連結されていることを特徴とする請求項１記載のネスティングラック。
【請求項３】
前記連結部材は、前記横枠のうち少なくとも２つの横枠に連結される一体の部材であることを特徴とする請求項１または請求項２記載のネスティングラック。
【請求項４】
前記連結部材は、前記コの字を構成する左右一対の横枠に連結される長尺平板部材であることを特徴とする請求項３記載のネスティングラック。
【請求項５】
前記支持部における前側の前記支柱の背面に隣接する位置に支柱支持部を有し、ネスティング時において、該支柱支持部により、直上の他のネスティングラックの支柱を支持することを特徴とする請求項１、請求項２または請求項３記載のネスティングラック。
【発明の詳細な説明】
【技術分野】
【０００１】
本発明は、骨組み構造の段積み及びネスティングが可能な逆ネスティング型のネスティングラックに関する。
【背景技術】
【０００２】
工業製品や商品等の積載物を、安全・確実で、かつ安価に、搬送および保管するための用具として、ネスティングラックが使用されている。ネスティングラックは、使用時には、上下に積み重ねて骨組み構造の段積みが可能であり、収納時には内部に同一構造のラックをネスティング（入れ子）して収納できる構造を有している。また、ネスティングラックには、上部が開口して下部に棚（ベース部）が設けられた正型（正ネスティング型）と、下部が開口して上部に棚（ベース部）が設けられた逆型（逆ネスティング型）とがある。
【０００３】
ネスティングラックは、複数段に積み重ねて使用されるため、振動による転倒等を防止することが必要である。従来、ネスティングラックの耐震機構として、ラックの上部にＶ字型の受け具を設け、下部にこの受け具と嵌合するＶ字型の嵌合具が設けられ、段積み時に、一方のラックの受け具と、他方のラックの嵌合部とが嵌合することで耐震性を担保するものが提案されている（特許文献１参照）。また、逆ネスティング型のネスティングラックであり、上部後面に左右一対のストッパ体を有し、さらに、下部後面に水平方向に突出した左右一対の凸部であって上記ストッパ体間に嵌脱可能な凸部を有するものが提案されている（特許文献２参照）。また、より簡易な手法として、ラック同士の柱を専用の金具やバンドで固定し、ラック間を連結することで耐震補強をする方法等が採用されている。
【先行技術文献】
【特許文献】
【０００４】
【特許文献１】特開平９−２４９３８号公報
【特許文献２】特開平６−１９９３４８号公報
【発明の概要】
【発明が解決しようとする課題】
【０００５】
しかしながら、従来のいずれの方法も、隣接するラック同士の連結により耐震性を向上させるものであり、ラック単独での耐震性には着目していない。ラック単独での耐震性が不十分であると、これらを連結した場合にも十分な耐震性が得られない場合がある。特に、正型のネスティングラックでは、下部の棚に積載する積載物の荷重により、積載物がない場合よりも安定性の大幅な向上を図れるが、逆型のネスティングラックでは、そこに収納する積載物の荷重がそのラック自体には掛らないため、積載物（搬入物）がある場合でも安定性の大幅な向上は望めない。その他、特許文献１や特許文献２のような、複雑な専用構造を設ける場合、製造コストが高くなる。
【０００６】
本発明はこのような問題に対処するためになされたものであり、簡易な構造でありながら耐震性に優れる逆ネスティング型のネスティングラックを提供することを目的とする。
【課題を解決するための手段】
【０００７】
本発明のネスティングラックは、平面形状が略四角形の天井部と、この天井部の四隅にそれぞれ立設された支柱と、積載物を搬入する前面側を除いて隣り合う上記支柱の下端部同士を連結した横枠からなるコの字状の支持部とを備えてなる逆ネスティング型のネスティングラックであって、該ネスティングラックは、上記積載物を、該ネスティングラックを支持する支持面のうち、上記支持部のコの字内側の部分に載置して使用するものであり、上記支持部は、上記横枠の少なくとも１つに連結されるとともに上記支持面に載置される連結部材を有し、該連結部材が上記積載物と上記支持面との間で該積載物の重量により固定されることを特徴とする。
【０００８】
上記連結部材は、上記横枠に着脱可能に連結されている、または、ネスティング時において上記コの字状の内部範囲外に可動可能に連結されていることを特徴とする。
【０００９】
上記連結部材は、上記横枠のうち少なくとも２つの横枠に連結される一体の部材であることを特徴とする。特に、上記連結部材は、上記コの字を構成する左右一対の横枠に連結される長尺平板部材であることを特徴とする。
【００１０】
上記支持部における前側の上記支柱の背面に隣接する位置に支柱支持部を有し、ネスティング時において、該支柱支持部により、直上の他のネスティングラックの支柱を支持することを特徴とする。
【発明の効果】
【００１１】
本発明のネスティングラックは、平面形状が略四角形の天井部と、この天井部の四隅にそれぞれ立設された支柱と、積載物を搬入する前面側を除いて隣り合う支柱の下端部同士を連結した横枠からなるコの字状の支持部とを備えてなり、上記積載物を、ネスティングラックを支持する支持面のうち、上記支持部のコの字内側の部分に載置して使用するものであり、上記支持部は、上記横枠の少なくとも１つに連結されるとともに上記支持面に載置される連結部材を有し、該連結部材が積載物と支持面との間で該積載物の重量により固定されるので、簡易な構造でありながら、上記連結部材を介してラック全体が積載物の重量により固定され、このラック単独での耐震性に優れる。この結果、段積み使用時において、複数のラックからなる構造体全体の耐震性にも優れる。
【００１２】
また、上記連結部材は、上記横枠に着脱可能に連結されている、または、ネスティング時において上記コの字状の内部範囲外に可動可能に連結されているので、使用時において連結部材を支持部のコの字中央部に設ける場合等でも、ネスティング時にはこれを外して、または、外側に可動させてネスティングができる。
【００１３】
また、上記横枠のうち少なくとも２つの横枠に連結される一体の部材であるので、耐震性に優れる。特に、上記連結部材は、上記コの字を構成する左右一対の横枠を連結する長尺平板部材であるので、極めて簡易な構造であり、低コストで製造可能であり、破損しにくく、収納や管理も容易である。
【００１４】
また、上記支持部における前側の支柱の背面に隣接する位置に支柱支持部を有し、ネスティング時において、該支柱支持部により、直上の他のネスティングラックの支柱を支持するので、ネスティング状態での搬送時においても耐震性に優れる。
【図面の簡単な説明】
【００１５】
【図１】本発明の逆ネスティング型（ピン型）のラック単独の斜視図である。
【図２】図１のラックの段積み使用時の状態を示す斜視図である。
【図３】図１のラックのネスティング時の状態を示す斜視図である。
【図４】本発明の逆ネスティング型（レール型）のラック単独の斜視図である。
【図５】図４のラックの段積み使用時の状態を示す斜視図である。
【図６】図４のラックのネスティング時の状態を示す斜視図である。
【発明を実施するための形態】
【００１６】
本発明のネスティングラックの一例を図１〜図３に基づいて説明する。図１は本発明の逆ネスティング型（ピン型）のラック単独の斜視図であり、図２は段積み使用時の斜視図であり、図３はネスティング時の斜視図である。図１に示すように、ネスティングラック１は、複数の角柱部材等を組み合わせて構成される骨組み構造体である。より詳細には、平面形状が略四角形の天井部２と、この天井部２の四隅にそれぞれ立設された支柱３ａ〜３ｄと、積載物５を搬入する前面側を除いて隣り合う支柱の下端部同士を連結した横枠４ａ〜４ｃからなるコの字状の支持部４とを備えてなる。このネスティングラック１は、下部が開口して上部に棚（天井部２）が設けられた逆ネスティング型のラックである。積載物５は、ネスティングラック１を支持する支持面６のうち支持部４のコの字内側の部分に、必要に応じてパレット等を介して載置される。
【００１７】
ネスティングラック１の材質は、特に限定されず、鉄鋼（塗装、めっき処理等の防錆処理したものを含む）、ステンレス鋼、他の合金などの金属材料や、機械的強度に優れる合成樹脂材料を採用できる。また、部位毎に材質が異なっていてもよい。樹脂製のネスティングラックは、金属製のものと比較して軽量であるため、振動の影響を受けやすいが、後述の連結部材を設けることで、樹脂製のネスティングラックであっても十分な耐震性を確保できる。
【００１８】
本発明のネスティングラック１では、支持部４に連結部材７を有することに特徴を有する。連結部材７は、横枠４ａおよび４ｃに連結される（横枠４ａと４ｃとを連結している）とともに、支持面６に載置されている。連結部材７は、積載物搬入後において、積載物５（パレット等の棚部を設ける場合は、それを含む）と支持面６との間で積載物５の重量により固定される。この結果、連結部材７を介してラック全体が積載物５の重量により固定され、ネスティングラック１単独での耐震性に優れる。なお、本発明において、「支持部」は、上述のとおり３つの横枠で構成されるコの字状の部位であり、連結部材が「横枠の少なくとも１つに連結される」には、横枠の連結部（支柱部分）に連結される場合を含む。
【００１９】
図１に示す連結部材７は、コの字を構成する左右一対の横枠４ａおよび４ｃに連結される長尺平板部材（バー形状）である。連結部材７の両端部７ａ、７ｂは、各横枠に上側から嵌合可能な断面コの字の形状を有しており、横枠とは着脱自在に嵌合されている。連結部材７は、支持面６に載置され、支持面６と積載物５との間に挟まれて固定されるものであり、積載物５の全重量をそれ自身で支えるものではない。図１に示すようなバー形状とすることで、支持面と積載物との間で確実に挟み込まれ、邪魔にもならず、ラックの支持部を上側から抑え付けることで安定して固定可能となる。また、簡易な構造であり、低コストで製造可能であり、破損しにくく、収納や管理も容易である。
【００２０】
連結部材７は、積載物５の重量を利用してラックの支持部４のグラつき等を固定できる構造であればよく、図１の形状に限定されるものではない。例えば、横枠４ａおよび４ｂに連結される長尺平板部材や、横枠４ｃおよび４ｂに連結される長尺平板部材などであってもよい。この場合の連結部材７の両端部は、図１と同様の形状とできる。また、連結部材７は、横枠間を連結しない、半長尺平板部材であってもよい。この場合は、２つ以上の横枠のそれぞれに該連結部材を設け、これら複数の連結部材がそれぞれ積載物５と支持面６との間で固定される態様とすることで、十分な耐震性を確保できる。また、以上のそれぞれの態様において、連結部材の形状は、平板状以外に、細円柱状、細角柱状などにもできる。
【００２１】
連結部材７の材質は、ラック本体と同様の金属材料や合成樹脂材料を採用できる。必ずしもラック本体と材質を一致させる必要はなく、ラック本体を鋼材で構成しつつ、連結部材については取り外し動作や保管時の取り扱い性を考慮して樹脂材で構成してもよい。
【００２２】
また、連結部材は、ネスティング時にその妨げとならない任意の構造とでき、例えば、図１に示す着脱可能な形状や、支持部のコの字中央部から外側に可動できる形状などにもできる。その他、連結部材は、積載物との関係で、使用時には積載物と支持面との間に固定される位置で、かつ、ネスティング時には他のラックと干渉しない位置（端部の一部等）に設けることもでき、この場合は着脱可能等である必要はない。
【００２３】
図１に示すネスティングラック１は、連結形式がピン型のラックである。このネスティングラックの段積み使用時の状態を図２に示す。図２に示すように、ネスティングラックの段積み使用時には、下段のネスティングラック１の支柱上部の凸部３ｅ（図１参照）が、上段のネスティングラック１’の支柱下部の凹部に嵌合して連結される。ネスティングラック１には連結部材７が、ネスティングラック１’には連結部材７’が、それぞれ設けられている。各連結部材の構成は、図１に示す場合と同様である。上段のネスティングラック１’においては、下段のネスティングラック１の天井部２の上面が積載物５’の支持面６’となる。連結部材７’は、支持面６’（天井部２）に載置され、支持面６’と積載物５’との間で固定される。下段のネスティングラック１における連結部材７の固定態様は、図１に示す場合と同様である。着脱可能な連結部材を用いる場合は、それぞれのラックについて、ラックを段積みした後に連結部材を取り付けても、段積み前に予め取り付けてもよい。
【００２４】
図２において、上段のネスティングラック１’については、連結部材７’を介して積載物５’の重量により固定され、下段のネスティングラック１については、天井部２に載置されるラック１’と積載物５’の重量と、連結部材７を介した積載物５の重量により、安定して固定される。通常の逆型のネスティングラックを段積み使用する場合、最下段のラックは、天井部に荷重が掛かるものの、その重心が高く、地震や搬送時の強い振動が加わる場合には安定性に欠けるおそれがあるが、本発明のネスティングラックでは、最下段ラックの下部の支持部にも連結部材を介して積載物の荷重が掛かり安定するため、段積みしたラック構造体全体の耐震性に優れる。なお、補助的にラック同士を金具やバンドで固定して、更に耐震性を向上させてもよい。
【００２５】
図１に示すネスティングラックのネスティング時の状態を図３に示す。ネスティングラック１は、前側の左右一対の支柱３ａおよび３ｄが、後側の左右一対の支柱３ｂおよび３ｃよりも外側に位置し、天井部２は、コの字状の支持部４の内側に内接可能な寸法となっている。また、連結部材７は、着脱可能に連結されているので、これを取り外すことにより、ネスティングラック１を入れ子式に収納できる。
【００２６】
本発明のネスティングラックの他の例を図４〜図６に基づいて説明する。図４は本発明の逆ネスティング型（レール型）のラック単独の斜視図であり、図５は段積み使用時の斜視図であり、図６はネスティング時の斜視図である。図４に示すように、このネスティングラック１は、図１の態様と同様に、逆ネスティング型のラックであり、平面形状が略四角形の天井部２と、この天井部２の四隅にそれぞれ立設された支柱３ａ〜３ｄと、積載物５を搬入する前面側を除いて隣り合う支柱の下端部同士を連結した横枠４ａ〜４ｃからなるコの字状の支持部４とを備えてなる。
【００２７】
図４に示すネスティングラック１は、連結形式がレール型のラックである。このネスティングラックの段積み使用時の状態を図５に示す。図５に示すように、ネスティングラックの段積み使用時には、下段のネスティングラック１の天井部２の左右両側に設けられた三角凸状のレール３ｆが、上段のネスティングラック１’の支持部の横枠下部の三角凹状のレール受け（図示省略）に嵌合して連結される。このレールの嵌合により、安定して上下のネスティングラックを連結できる。また、レール受けの三角凹状の三角頂点角度（例えば８２°）を、レールの三角凸状の三角頂点角度（例えば９０°）よりも小さくすることで、レールがレール受けに強固に嵌合され、ラック間の安定性に優れる。
【００２８】
ネスティングラック１には連結部材７が、ネスティングラック１’には連結部材７’が、それぞれ設けられている。各連結部材は、２つの横枠に連結される（横枠同士を連結する）とともに支持面に載置されており、図１等に示す場合と基本的には同様の構成である。ただし、両端部７ａ、７ｂの形状については、各横枠に上側から嵌合可能であり、横枠の断面形状に沿った形状とされている。上段のネスティングラック１’においては、下段のネスティングラック１の天井部２の上面が積載物５’の支持面６’となる。連結部材７’は、支持面６’（天井部２）に載置され、支持面６’と積載物５’との間で固定される。下段のネスティングラック１における連結部材７の固定態様は、図１に示す場合と同様である。この構造により、図１、２に示す場合と同様に、ネスティングラック単独での耐震性、および段積みしたラック構造体全体での耐震性に優れる。
【００２９】
図４に示すネスティングラックのネスティング時の状態を図６に示す。ネスティングラック１は、前側の左右一対の支柱３ａおよび３ｄが、後側の左右一対の支柱３ｂおよび３ｃよりも外側に位置し、天井部２は、コの字状の支持部４の内側に内接可能な寸法となっている。また、連結部材７は、着脱可能に連結されているので、これを取り外すことにより、ネスティングラック１を入れ子式に収納できる。
【００３０】
図４に示すネスティングラック１は、支持部４の前面下部にネスティング時の支柱支持部４ｄおよび４ｅを有する。この支柱支持部は、それぞれ前側支柱３ａおよび３ｄの背面に隣接し、ラック正面からみた場合に、後側支柱３ｂおよび３ｃの外側に位置する。図６に示すネスティング時には、この支柱支持部（４ｄ）で、直上の他のラック１’の前側支柱（３ａ’）を支える構造となっている。支柱支持部の形状は、図４等に示す平板形状には限定されず、他のラックの支柱を支持できる形状であればよい。
【００３１】
従来の逆ネスティング型（レール型）のネスティングラックでは、天井部の横枠に設けられた下側への凸状部等を、直下の他のラックの天井部で支える構造（直下のラックの天井部で吊られている状態）であったので、ネスティング状態での搬送時等において振動に対する安定性に欠ける場合があった。これに対して、上記のような支柱支持部を設けることで、ネスティング状態での耐震性にも優れる。
【００３２】
以上、図１〜図６に基づいて説明したが、本発明のネスティングラックの構造はこれらに限定されるものではない。
【産業上の利用可能性】
【００３３】
本発明のネスティングラックは、簡易な構造であり、製造コストを抑えながら耐震性にも優れるので、種々の工業製品や商品などの積載物を、安全・確実で、かつ安価に搬送および保管するためのネスティングラックとして好適に利用できる。
【符号の説明】
【００３４】
１  ネスティングラック
２  天井部
３ａ〜３ｄ  支柱
３ｅ  凸部
３ｆ  レール
４  支持部
４ａ〜４ｃ  横枠
４ｄ、４ｅ  支柱支持部
５  積載物
６  支持面
７  連結部材
７ａ、７ｂ  連結部材の端部
【図１】
2014237456.tif 000003
【図２】
2014237456.tif 000004
【図３】
2014237456.tif 000005
【図４】
2014237456.tif 000006
【図５】
2014237456.tif 000007
【図６】
2014237456.tif 000008